(57)【特許請求の範囲】
【請求項１】
建物の外面に配設され、液滴を前記建物の外側で噴霧する噴霧部と、
前記噴霧部に供給される液体に、着色された液体、臭い付きの液体又は忌避剤入りの液体である機能性液剤を添加する液剤添加部と、
前記噴霧部からの液滴の噴霧と、前記液剤添加部の動作とを制御可能な制御手段と、
検知領域内へ侵入した物体を検知してその検知情報を前記制御手段に供給可能なセンサーと、
を備え、
前記センサーが物体を検知していない場合は、前記制御手段は、前記液剤添加部を作動させず、前記噴霧部から前記機能性液剤を含まない液滴を噴霧させる制御が可能であり、
前記センサーが物体を検知した場合は、前記センサーからの検知情報を受けた前記制御手段は、前記噴霧部に供給される液体に前記液剤添加部から前記機能性液剤を添加させて、前記噴霧部から前記機能性液剤を含む液滴が噴霧される制御を行うことを特徴とする液滴発生装置。
【請求項２】
前記液剤添加部から添加される前記機能性液剤が、着色された液体であることを特徴とする請求項１に記載の液滴発生装置。
【請求項３】
前記液剤添加部から添加される前記機能性液剤が、臭い付きの液剤であることを特徴とする請求項１に記載の液滴発生装置。
【請求項４】
前記液剤添加部から添加される前記機能性液剤が、動物の忌避剤入りの液体であることを特徴とする請求項１に記載の液滴発生装置。
【請求項５】
前記センサーは、物体の大きさを検知可能であり、前記制御手段は、前記センサーによって検知された物体の大きさに応じて、前記機能性液剤の種類が選択される制御が可能であることを特徴とする請求項１に記載の液滴発生装置。
【発明の詳細な説明】
【技術分野】
【０００１】
本発明は、建物の外側で液滴を噴霧するための液滴発生装置に関する。
【背景技術】
【０００２】
従来より、小動物や鳥類などの存在を検知して、周囲に嫌液（忌避液）を散布する装置が知られている。例えば、特許文献１の装置は、赤外線センサーと、赤外線センサーの赤外線検出によって動作するポンプと、嫌液を入れたタンクと、ポンプに連結設置されたスプリンクラーヘッド（噴霧部）と、赤外線センサーおよびポンプを作動させる電源とで構成されている。そして、特許文献１の装置は、赤外線センサーの検知によりポンプを作動させ、嫌液をスプリンクラーヘッドを通じて散布させている。
【先行技術文献】
【特許文献】
【０００３】
【特許文献１】特開2007−37457号公報
【発明の概要】
【発明が解決しようとする課題】
【０００４】
しかしながら、特許文献１の装置は小動物の獣道に設置されるものである。例えば、噴霧部を建物の外面に設け、小動物等の撃退機能の他にも、外気や建物の冷却、湿度の調整、敷地内への侵入者の撃退などの複合的な機能を備えることができれば、機能性、実用性が高まると考えられるが、特許文献１ではそのような検討はなされていない。
【０００５】
本発明は、以上の事情に鑑みてなされたものであり、外気や建物の冷却、湿度の調整、敷地内への侵入者の撃退、小動物等の撃退などの目的に応じて、噴霧される液滴の種類と、液滴の噴霧のタイミングを制御可能な液滴発生装置を提供することを課題としている。
【課題を解決するための手段】
【０００６】
上記の課題を解決するために、本発明の液滴発生装置は、
建物の外面に配設され、液滴を前記建物の外側で噴霧する噴霧部と、
前記噴霧部に供給される液体に、着色された液体、臭い付きの液体又は忌避剤入りの液体である機能性液剤を添加する液剤添加部と、
前記噴霧部からの液滴の噴霧と、前記液剤添加部の動作とを制御可能な制御手段と、
検知領域内へ侵入した物体を検知してその検知情報を前記制御手段に供給可能なセンサーと、
を備え、
前記センサーが物体を検知していない場合は、前記制御手段は、前記液剤添加部を作動させず、前記噴霧部から前記機能性液剤を含まない液滴を噴霧させる制御が可能であり、
前記センサーが物体を検知した場合は、前記センサーからの検知情報を受けた前記制御手段は、前記噴霧部に供給される液体に前記液剤添加部から前記機能性液剤を添加させて、前記噴霧部から前記機能性液剤を含む液滴が噴霧される制御を行うことを特徴としている。
【発明の効果】
【０００７】
本発明の液滴発生装置によれば、外気や建物の冷却、湿度の調整、敷地内への侵入者の撃退、小動物等の撃退などの目的に応じて、噴霧される液滴の種類と、液滴の噴霧のタイミングを制御することができる。
【図面の簡単な説明】
【０００８】
【図１】本発明の液滴発生装置の一実施形態を例示した概要図である。
【図２】本発明の液滴発生装置の制御手段による制御の一形態を例示したブロック図である。
【発明を実施するための形態】
【０００９】
図１は、本発明の液滴発生装置の一実施形態を例示した概要図である。図２は、本発明の液滴発生装置の制御手段による制御の一形態を例示したブロック図である。
【００１０】
液滴発生装置１は、噴霧部２と、噴霧部２に液体を供給する液体供給管３１を有する液体供給手段３と、噴霧部２に空気を供給する空気供給管４１を有する空気供給手段４とを備えている。また、液滴発生装置１は、噴霧部２に供給される液体に機能性液剤を添加する液剤添加部Ｖを備えている。さらに、液滴発生装置１は、検知領域内へ侵入した物体を検知してその検知情報を制御手段５に供給可能なセンサーＴを備えている。
【００１１】
噴霧部２は、建物Ｈの外面に配設され、建物Ｈから遠ざかる方向や、下方向や、建物Ｈ側に向かって、液滴を建物Ｈの外側で噴霧する。建物Ｈの外面における噴霧部２の配設位置は特に限定されず、液滴による冷却作用や動物に対する忌避作用などが望まれる所望の位置に配設することができる。ここでいう「建物の外面」には、建物Ｈの外壁Ｗ、屋根Ｒ、軒樋Ｓ、軒下Ｕ、ベランダＤなどが含まれる。図１に例示した実施形態では、噴霧部２は、建物Ｈの屋根Ｒの頂部、軒樋Ｓの下方付近、軒下Ｕ、ベランダＤの下部および外壁Ｗの下方部に設けられている。液滴発生装置１は、噴霧部２が建物Ｈの外面に配設されているため、建物Ｈの外観が良好であり、大がかりな設置スペースを確保する必要もない。
【００１２】
噴霧部２には、液体供給手段３の液体供給管３１と、空気供給手段４の空気供給管４１とが接続されている。噴霧部２の具体的な形態は特に限定されないが、空気供給管４１から供給される空気の流れに液体供給管３１からの液体が供給されることにより、噴霧部２で微細な霧状の液滴が生成される二流体ノズルの形態を好ましく例示することができる。
【００１３】
液体供給手段３の液体供給管３１の一端は噴霧部２と接続している。液体供給手段３には、液体供給管３１の他に、開度を調整可能な水量調整弁（図示していない）、ポンプなどの液体用圧力制御装置３２、流量検知計（図示していない）、ストレーナー（図示していない）などが含まれる。また、液体供給管３１の他端が接続する水供給源（図示していない）としては、例えば、水道からの水やタンクに貯留された雨水などを例示することができる。なお、例えば、水道からの供給圧によって液体供給管３１から噴霧部２へ十分な供給ができる場合は、ポンプなどの液体用圧力制御装置３２の設置を省略することができる。
【００１４】
空気供給手段４の空気供給管４１の一端は噴霧部２と接続している。空気供給手段４には、空気供給管４１の他に、開度を調整可能な空気量調整弁（図示していない）、コンプレッサーやブロアなどの空気用圧力制御装置４２、空気量検知計（図示していない）などが含まれる。図１に例示した実施形態では、空気供給管４１の他端に空気用圧力制御装置４２が接続されており、空気用圧力制御装置４２によって生成された圧縮空気が空気供給管４１を通じて噴霧部２に供給される構造になっている。
【００１５】
この実施形態では、液剤添加部Ｖは、液体供給手段３の液体供給管３１（液体用圧力制御装置３２と噴霧部２の間）と、軒樋Ｓの下方の噴霧部２付近に設けられており、噴霧部２に供給される液体に機能性液剤を添加することができる。ここで、「機能性液剤」とは、各種の色に着色された液体、臭い付きの液体、動物・害虫の忌避剤入りの液体などをいう。なお、忌避剤は、例えば、イヌ、ネコ、イノシシ、シカ、タヌキ、イタチ、キツネ、モグラ、ネズミ、カラスなどの動物に対して忌避作用を有する物質が添加された公知のものを適宜使用することができる。
【００１６】
液滴発生装置１は、噴霧部２からの液滴の噴霧と、液剤添加部Ｖの動作とを制御可能な制御手段５を備えている。
【００１７】
具体的には、図２に例示したように、制御手段５は、液体供給手段３、空気供給手段４および液剤添加部Ｖと接続している。また、制御手段５とセンサーＴも互いに接続している。
【００１８】
制御手段５が噴霧部２からの液滴の噴霧を制御する形態は特に限定されないが、例えば、水量調整弁および空気量調整弁の開状態と閉状態を切り替えることで、適宜なタイミングで噴霧部２からの液滴の噴霧の開始と停止を切り替えることができる。
【００１９】
また、制御手段５は、センサーＴからの検知情報に基づいて、液剤添加部Ｖの動作を制御することができる。具体的には、例えば、制御手段５は、液剤添加部Ｖを作動させることで、液体供給管３１内の液体（噴霧部２に供給される液体）に、機能性液剤を添加することができ、これによって、噴霧部２から機能性液剤を含む液滴が噴霧される。なお、噴霧部２が複数設けられている場合には、制御手段５は、機能性液剤を含む液滴が噴霧される噴霧部２を選択する制御を行うこともできる。
【００２０】
さらに、制御手段５は、噴霧部２に供給される液体量と空気量を調整することで、噴霧部２から噴霧される液滴の粒径（平均粒径）を制御することができる。制御手段５は、例えば、水量調整弁および空気量調整弁の開度を制御することで、噴霧部２に供給される液体量（体積）と空気量（体積）の比率を調整することができる。液体量に対する空気量（空気量／液体量の値）が大きくなるほど、噴霧部２から噴霧される液滴の粒径は小さくなる傾向がある。制御手段５は、気温や湿度、その他の液滴の噴霧の目的に応じて液滴の粒径を１０ｎｍ〜１００μｍ程度の範囲で調整することができる。制御手段５によって、噴霧部２に供給される液体量と空気量とが調整されるため、噴霧される液滴の粒径の大きさを精度よく制御することができる。
【００２１】
センサーＴは、検知領域内へ侵入した物体を検知してその検知情報を制御手段５に供給することができる。この実施形態では、センサーＴは、建物Ｈの屋根Ｒの頂部、軒樋Ｓの下方、ベランダＤの下部、フェンスＦの上部に設けられている。
【００２２】
センサーＴは、所定の検知領域内へ侵入した物体（人・動物など）を検知可能であればよく、例えば、赤外線センサー、電波センサーなどの公知の物体検知センサーを適宜使用することができる。また、センサーＴは、物体の存在の有無とともに、物体の大きさを検知可能であることが好ましい。
【００２３】
さらに、センサーＴは、温度、湿度、日射量、浮遊している塵埃量（花粉などの微粒子の量）などを検知可能であることが好ましい。
【００２４】
この実施形態では、設置された複数のセンサーＴのそれぞれが、侵入した物体、温度、湿度、日射量、浮遊している塵埃量のうちの１種または２種以上を検知することができる。
【００２５】
この実施形態の液滴発生装置１では、センサーＴが物体（侵入者、動物）を検知していない場合は、制御手段５は液剤添加部Ｖを作動させない。この場合、制御手段５は、温度、湿度、日射量、塵埃量などの検知情報に基づいて、液体供給手段３および空気供給手段４を制御して、噴霧部２から機能性液剤を含まない液滴を噴霧させることができる。この際、制御手段５は、温度、湿度、日射量、塵埃量などの検知情報に基づいて、噴霧部２から噴霧される液滴の粒径（平均粒径）、液滴の噴霧量、噴霧のタイミングなどを制御することができる。
【００２６】
具体的には、例えば、センサーＴが温度、湿度、日射量、浮遊している塵埃量を検知した場合、センサーＴが検知した情報は制御手段５へと送られる。制御手段５は、噴霧部２からの液滴の噴霧領域や、望ましい温度、湿度、塵埃量の値などに応じて、センサーＴからの検知情報に基づいて噴霧部２から噴霧される粒径（平均粒径）、液滴の噴霧量、噴霧のタイミングなどを制御することができる。これによって、外気や建物周囲の冷却、湿度の調整、塵埃の低減などを行うことができる。
【００２７】
より具体的には、例えば、打ち水のように噴霧部２から地面に向かって液滴を噴霧させる場合は、制御手段５は、比較的大きな粒径の液滴が噴霧されるように制御することができる。また、例えば、液滴を広範囲に拡散させたい場合などには、制御手段５は比較的小さな粒径の液滴が噴霧されるように制御することができる。
【００２８】
一方、センサーＴが物体（侵入者・動物）を検知した場合は、センサーＴが検知した情報は制御手段５へと送られる。センサーＴからの検知情報を受けた制御手段５は、例えば、液体供給手段３および空気供給手段４を制御して、液体供給管３１および空気供給管４１を通じて噴霧部２への液体と空気の供給を開始させる。そして、制御手段５は、液剤添加部Ｖを作動させて、液体供給管３１内の液体（噴霧部２に供給される液体）に機能性液剤を添加させる制御を行う。これによって、液体供給管３１を通じて供給された機能性液剤を含む液体は、噴霧部２で空気供給管４１から供給された空気と合流して、噴霧部２から機能性液剤を含む液滴が噴霧される。
【００２９】
また、制御手段５は、センサーＴによって検知された物体の大きさに応じて、液剤添加部Ｖから添加される機能性液剤の種類を選択する制御が可能であることが好ましい。この場合、制御手段５によって選択される機能性液剤は、液剤添加部Ｖに備えられたもののうちの１種または２種以上であってよい。
【００３０】
具体的には、例えば、センサーＴが検知領域に侵入した物体の存在と、その大きさを検知した場合、この検知情報はセンサーＴから制御手段５に送られる。制御手段５は、物体の大きさに関する情報から、検知された物体が人（侵入者）であると判定した場合は、液剤添加部Ｖから液体供給管３１内の水に、着色された液体や臭い付きの液体などが所定量で添加されるように制御することができる。これによって、着色された液体や臭い付きの液体が噴霧部２から液滴となって噴霧される。したがって、噴霧された液滴が侵入者に接触すると、付着した色素や臭いによって、侵入者が逃走した場合も追跡などが容易になるため、威嚇効果、防犯効果を高めることができる。
【００３１】
また、制御手段５は、センサーＴから送られた物体の大きさに関する情報から、検知された物体が小動物や鳥類などであると判定した場合、液剤添加部Ｖから液体供給管３１内の水に、動物の忌避剤入りの液体が所定量で添加されるように制御することができる。これによって、動物の忌避剤入りの液体などが噴霧部２から液滴となって噴霧されるため、噴霧された液滴によって動物に警戒心、恐怖心を与えて撃退することができる。
【００３２】
なお、この実施形態では、センサーＴによる検知情報に基づいて制御手段５が液剤添加部Ｖにおける動作を制御する形態を例示したが、このような形態に限定されることはない。例えば、予め設定された時間に、液剤添加部Ｖから液体供給管３１内の水に機能性液剤が添加されて噴霧部２から液滴となって噴霧されるように制御することもできる。この場合、例えば動物や害虫（蚊、ハエ、ダニなど）の忌避剤入りの液体を定期的に噴霧することで、動物の侵入や害虫の発生などの予防することができる。
【００３３】
このように、液滴発生装置１は、建物Ｈの外面に配設され、液滴を建物Ｈの外側で噴霧する噴霧部２と、噴霧部２に供給される液体に機能性液剤を添加する液剤添加部Ｖと、を備えている。また、液滴発生装置１は、噴霧部２からの液滴の噴霧と、液剤添加部Ｖの動作とを制御可能な制御手段５を備えている。さらに、液滴発生装置１は、検知領域内へ侵入した物体を検知してその検知情報を制御手段５に供給可能なセンサーＴを備えている。
【００３４】
液滴発生装置１は、センサーＴが物体を検知していない場合は、制御手段５は、液剤添加部Ｖを作動させず、噴霧部２から機能性液剤を含まない液滴を噴霧させる制御が可能である。また、液滴発生装置１は、センサーＴが物体を検知した場合は、センサーＴからの検知情報を受けた制御手段５は、噴霧部２に供給される液体に液剤添加部Ｖから機能性液剤を添加させて、噴霧部２から機能性液剤を含む液滴が噴霧される制御を行う。
【００３５】
このため、液滴発生装置１によれば、外気や建物の冷却、湿度の調整、敷地内への侵入者の撃退、小動物等の撃退などの目的に応じて、噴霧される液滴の種類と、液滴の噴霧のタイミングを制御することができる。
【００３６】
この液滴発生装置１では、液剤添加部Ｖから添加される機能性液剤が、着色された液体であることが好ましい。この液滴発生装置１では、液剤添加部Ｖから添加される機能性液剤が、臭い付きの液剤であることが好ましい。この液滴発生装置１では、液剤添加部Ｖから添加される機能性液剤が、動物の忌避剤入りの液体であることが好ましい。
【００３７】
この液滴発生装置１では、センサーＶは、物体の大きさを検知可能であり、制御手段５は、センサーＴによって検知された物体の大きさに応じて、機能性液剤の種類が選択される制御が可能であることを特がより好ましい。
【００３８】
本発明の液滴発生装置は、以上の実施形態に限定されることはない。例えば、制御手段は、液滴の噴霧が行われる噴霧部を選択する制御や、各噴霧部に供給される最適な空気量を調整する制御などが可能であってもよい。
【符号の説明】
【００３９】
１    液滴発生装置
２    噴霧部
５    制御手段
Ｈ    建物
Ｔ    センサー
Ｖ    液剤添加部
【図１】
0006512514.tif 000002
【図２】
0006512514.tif 000003